【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ホスファイト構造を有するリン系酸化防止剤１００質量部、および下記一般式（１）、
2016047890.tif 000001
（一般式（１）中、Ｒ１、Ｒ２、Ｒ３およびＲ４は、各々独立して、水素原子、炭素原子数１〜１０の炭化水素基を表し、ａは、０〜２の整数を表し、ａが２の場合、複数のＲ３は同じであってもよく、異なるものであってもよい。）で表される部分構造を有するフェノール系酸化防止剤０．００１〜１０質量部が含有されてなることを特徴とする熱安定剤組成物。
【請求項２】
前記フェノール系酸化防止剤が、下記一般式（２）、
2016047890.tif 000002
（一般式（２）中、Ｒ１、Ｒ２およびＲ３は、各々独立して、水素原子、炭素原子数１〜１０の炭化水素基を表し、ａは、０〜２の整数を表し、ａが２の場合、複数のＲ３は同じものであっても異なるものであってもよく、ｎは１〜４の整数であり、
ｎが１の場合、Ｘは、炭素原子数１〜４０のアルキル基、炭素原子数１〜４０のアルコキシ基、炭素原子数６〜４０のアリール基、炭素原子数７〜４０のアリールアルキル基、またはこれらの組み合わせを表し、Ｒ４は水素原子を表し、
ｎが２の場合、Ｘは、炭素原子数１〜４０のアルキリデン基、炭素原子数６〜４０のアリーレン基、または下記一般式（３）、
2016047890.tif 000003
（一般式（３）中、Ｒ６およびＲ７は、各々独立して、炭素原子数１〜４０のアルキリデン基、炭素原子数６〜４０のアリーレン基を表す。）で表される基を表し、Ｒ４は、水素原子または炭素原子数１〜１０の炭化水素基を表すが、少なくとも一つのＲ４は水素原子を表し、
ｎが３の場合、Ｘは、炭素原子数１〜４０のアルカントリイル基、炭素原子数６〜４０の三価の環状基の何れかを表し、Ｒ４は、水素原子または炭素原子数１〜１０の炭化水素基を表すが、少なくとも一つのＲ４は水素原子を表し、
ｎが４の場合、Ｘは、炭素原子数１〜４０のアルカンテトライル基を表し、Ｒ４は、水素原子または炭素原子数１〜１０の炭化水素基を表すが、少なくとも一つのＲ４は水素原子を表し、
前記アルキル基、前記アルコキシ基、前記アリールアルキル基、前記アルキリデン基、前記アルカントリイル基、および前記アルカンテトライル基中のメチレン基は、＞Ｃ＝Ｏ、−Ｏ−、−Ｓ−、−ＣＯ−Ｏ−、−Ｏ−ＣＯ−、−Ｏ−ＣＯ−Ｏ−、−ＮＲ５−、ホスフィン、ホスフィナイト、ホスホナイト、ホスファイト、ホスホラン、ホスホネートまたはこれらの組み合わせで置換されていてもよく、また分岐を有するものであってもよく、Ｒ５は、水素原子または炭素原子数１〜４のアルキル基を表す。）で表される化合物である請求項１記載の熱安定剤組成物。
【請求項３】
前記リン系酸化防止剤が、下記一般式（４）〜（８）、
2016047890.tif 000004
（一般式（４）中、Ｒ８およびＲ９は、各々独立して、炭素原子数１〜４０のアルキル基、炭素原子数６〜４０のアリール基、炭素原子数７〜４０のアリールアルキル基、炭素原子数３〜２５の複素環含有基、またはこれらの組み合わせを表し、Ｒ８およびＲ９は結合して環状基を形成してもよく、Ｒ１０は、直接結合、炭素原子数１〜４０のアルキリデン基、炭素原子数６〜４０のアリーレン基を表し、ｂは、１〜３の整数であり、Ｔは、ｂが１の場合、水素原子、炭素原子数１〜４０のアルキル基、炭素原子数６〜４０のアリール基、炭素原子数３〜２５の複素環含有基を表し、ｂが２の場合、Ｔは、炭素原子数１〜４０のアルキリデン基、炭素原子数６〜４０のアリーレン基、−Ｓ−、または下記一般（３）、
2016047890.tif 000005
（一般式（３）中、Ｒ６およびＲ７は、各々独立して、炭素原子数１〜４０のアルキリデン基、炭素原子数６〜４０のアリーレン基を表す。）を表し、ｂが３の場合、Ｔは、炭素原子数１〜４０のアルカントリイル基を表す。）
2016047890.tif 000006
（一般式（５）中、Ｒ１１およびＲ１２は、各々独立して、炭素原子数１〜４０のアルキル基、炭素原子数６〜４０のアリール基を表す。）
2016047890.tif 000007
（一般式（６）中、Ｒ１３およびＲ１４は、各々独立して、水素原子、または炭素原子数１〜１０のアルキル基を表し、Ｒ１５は、水素原子または炭素原子数１〜４のアルキル基を表し、Ｔは、前記一般式（４）中のＴと同じものを表し、ｃは、０〜４の整数を表し、ｄは、０〜４の整数を表し、ｅは、1〜３の整数を表し、ｃが２以上の場合、複数あるＲ
１３は、同じものであっても異なるものであってもよく、ｄが２以上の場合、複数あるＲ１４は、同じものであっても異なるものであってもよく、ｅが１の場合、Ｔは、水素原子、炭素原子数１〜４０のアルキル基、炭素原子数６〜４０のアリール基、炭素原子数３〜２５の複素環含有基を表し、ｅが２の場合、Ｔは、炭素原子数１〜４０のアルキリデン基、炭素原子数６〜４０のアリーレン基、−Ｓ−、または前記一般式（３）で表される基を表し、ｅが３の場合、Ｔは、炭素原子数１〜４０のアルカントリイル基を表す。）
2016047890.tif 000008
（一般式（７）中、Ｒ１６およびＲ１７は、各々独立して、炭素原子数１〜４０のアルキル基、炭素原子数１〜４０のアルコキシ基、炭素原子数６〜４０のアリール基、炭素原子数７〜４０のアリールアルキル基、炭素原子数３〜２５の複素環含有基を表し、Ｒ１８は、炭素原子数１〜４０のアルキリデン基、炭素原子数６〜４０のアリーレン基を表し、ｆは、１〜３の整数を表し、ｆが１の場合、Ｔは、水素原子、炭素原子数１〜４０のアルキル基、炭素原子数６〜４０のアリール基、炭素原子数３〜２５の複素環含有基を表し、ｆが２の場合、Ｔは、炭素原子数１〜４０のアルキリデン基、炭素原子数６〜４０のアリーレン基、−Ｓ−、または前記一般式（３）で表される基を表し、ｆが３の場合、Ｔは、炭素原子数１〜４０のアルカントリイル基を表す。）
2016047890.tif 000009
（一般式（８）中、Ｒ１９、Ｒ２０およびＲ２１は、各々独立して、水素原子、炭素原子数１〜４０のアルキル基、炭素原子６〜４０のアリール基、炭素原子数７〜４０のアリールアルキル基、炭素原子数３〜２５の複素環含有基を表すが、Ｒ１９、Ｒ２０およびＲ２１は同時に水素原子にならない。）で表される化合物を少なくとも１種含む請求項１記載の熱安定剤組成物。
【請求項４】
前記ホスファイト構造を有するリン系酸化防止剤の融点が１００℃以下である請求項１〜３のうちいずれか一項記載の熱安定剤組成物。
【請求項５】
前記一般式（１）中のＲ１がｔｅｒｔ−ブチル基、Ｒ２が水素原子、Ｒ３がメチル基である請求項１記載の熱安定剤組成物。
【請求項６】
前記一般式（２）中のＲ１がｔｅｒｔ−ブチル基、Ｒ２が水素原子、Ｒ３がメチル基である請求項２記載の熱安定剤組成物。
【請求項７】
前記フェノール系酸化防止剤の分子量が、３００〜２，０００の範囲内である請求項１〜６のうちいずれか一項記載の熱安定剤組成物。
【請求項８】
合成樹脂１００質量部に対して、請求項１〜７のうちいずれか一項記載の熱安定剤組成物が０．００１〜１０質量部含有されてなることを特徴とする合成樹脂組成物。
【手続補正２】
【補正対象書類名】明細書
【補正対象項目名】００１１
【補正方法】変更
【補正の内容】
【００１１】
本発明の樹脂組成物においては、前記フェノール系酸化防止剤は、下記一般式（２）、
2016047890.tif 000010
（一般式（２）中、Ｒ１、Ｒ２およびＲ３は、各々独立して、水素原子、炭素原子数１〜
１０の炭化水素基を表し、ａは、０〜２の整数を表し、ａが２の場合、複数のＲ３は同じ
ものであっても異なるものであってもよく、ｎは１〜４の整数であり、
ｎが１の場合、Ｘは、炭素原子数１〜４０のアルキル基、炭素原子数１〜４０のアルコ
キシ基、炭素原子数６〜４０のアリール基、炭素原子数７〜４０のアリールアルキル基、
またはこれらの組み合わせを表し、Ｒ４は水素原子を表し、
ｎが２の場合、Ｘは、炭素原子数１〜４０のアルキリデン基、炭素原子数６〜４０のア
リーレン基、または下記一般式（３）、
2016047890.tif 000011
（一般式（３）中、Ｒ６およびＲ７は、各々独立して、炭素原子数１〜４０のアルキリデ
ン基、炭素原子数６〜４０のアリーレン基を表す。）で表される基を表し、Ｒ４は、水素
原子または炭素原子数１〜１０の炭化水素基を表すが、少なくとも一つのＲ４は水素原子
を表し、
ｎが３の場合、Ｘは、炭素原子数１〜４０のアルカントリイル基、炭素原子数６〜４０
の三価の環状基の何れかを表し、Ｒ４は、水素原子または炭素原子数１〜１０の炭化水素
基を表すが、少なくとも一つのＲ４は水素原子を表し、
ｎが４の場合、Ｘは、炭素原子数１〜４０のアルカンテトライル基を表し、Ｒ４は、水
素原子または炭素原子数１〜１０の炭化水素基を表すが、少なくとも一つのＲ４は水素原
子を表し、
前記アルキル基、前記アルコキシ基、前記アリールアルキル基、前記アルキリデン基
、前記アルカントリイル基、および前記アルカンテトライル基中のメチレン基は、＞Ｃ＝
Ｏ、−Ｏ−、−Ｓ−、−ＣＯ−Ｏ−、−Ｏ−ＣＯ−、−Ｏ−ＣＯ−Ｏ−、−ＮＲ５−、ホ
スフィン、ホスフィナイト、ホスホナイト、ホスファイト、ホスホラン、ホスホネートま
たはこれらの組み合わせで置換されていてもよく、また分岐を有するものであってもよく
、Ｒ５は、水素原子または炭素原子数１〜４のアルキル基を表す。）で表される化合物で
あることが好ましい。
【手続補正３】
【補正対象書類名】明細書
【補正対象項目名】００１２
【補正方法】変更
【補正の内容】
【００１２】
本発明の熱安定剤組成物においては、前記リン系酸化防止剤が、下記一般式（４）〜（８）、
2016047890.tif 000012
（一般式（４）中、Ｒ８およびＲ９は、各々独立して、炭素原子数１〜４０のアルキル基、炭素原子数６〜４０のアリール基、炭素原子数７〜４０のアリールアルキル基、炭素原子数３〜２５の複素環含有基、またはこれらの組み合わせを表し、Ｒ８およびＲ９は結合して環状基を形成してもよく、Ｒ１０は、直接結合、炭素原子数１〜４０のアルキリデン基、炭素原子数６〜４０のアリーレン基を表し、ｂは、１〜３の整数であり、Ｔは、ｂが１の場合、水素原子、炭素原子数１〜４０のアルキル基、炭素原子数６〜４０のアリール基、炭素原子数３〜２５の複素環含有基を表し、ｂが２の場合、Ｔは、炭素原子数１〜４０のアルキリデン基、炭素原子数６〜４０のアリーレン基、−Ｓ−、または下記一般（３）、
2016047890.tif 000013
（一般式（３）中、Ｒ６およびＲ７は、各々独立して、炭素原子数１〜４０のアルキリデン基、炭素原子数６〜４０のアリーレン基を表す。）を表し、ｂが３の場合、Ｔは、炭素原子数１〜４０のアルカントリイル基を表す。）
2016047890.tif 000014
（一般式（５）中、Ｒ１１およびＲ１２は、各々独立して、炭素原子数１〜４０のアルキル基、炭素原子数６〜４０のアリール基を表す。）
2016047890.tif 000015
（一般式（６）中、Ｒ１３およびＲ１４は、各々独立して、水素原子、または炭素原子数１〜１０のアルキル基を表し、Ｒ１５は、水素原子または炭素原子数１〜４のアルキル基を表し、Ｔは、前記一般式（４）中のＴと同じものを表し、ｃは、０〜４の整数を表し、ｄは、０〜４の整数を表し、ｅは、1〜３の整数を表し、ｃが２以上の場合、複数あるＲ
１３は、同じものであっても異なるものであってもよく、ｄが２以上の場合、複数あるＲ１４は、同じものであっても異なるものであってもよく、ｅが１の場合、Ｔは、水素原子、炭素原子数１〜４０のアルキル基、炭素原子数６〜４０のアリール基、炭素原子数３〜２５の複素環含有基を表し、ｅが２の場合、Ｔは、炭素原子数１〜４０のアルキリデン基、炭素原子数６〜４０のアリーレン基、−Ｓ−、または前記一般式（３）で表される基を表し、ｅが３の場合、Ｔは、炭素原子数１〜４０のアルカントリイル基を表す。）
2016047890.tif 000016
（一般式（７）中、Ｒ１６およびＲ１７は、各々独立して、炭素原子数１〜４０のアルキル基、炭素原子数１〜４０のアルコキシ基、炭素原子数６〜４０のアリール基、炭素原子数７〜４０のアリールアルキル基、炭素原子数３〜２５の複素環含有基を表し、Ｒ１８は、炭素原子数１〜４０のアルキリデン基、炭素原子数６〜４０のアリーレン基を表し、ｆは、１〜３の整数を表し、ｆが１の場合、Ｔは、水素原子、炭素原子数１〜４０のアルキル基、炭素原子数６〜４０のアリール基、炭素原子数３〜２５の複素環含有基を表し、ｆが２の場合、Ｔは、炭素原子数１〜４０のアルキリデン基、炭素原子数６〜４０のアリーレン基、−Ｓ−、または前記一般式（３）で表される基を表し、ｆが３の場合、Ｔは、炭素原子数１〜４０のアルカントリイル基を表す。）
2016047890.tif 000017
（一般式（８）中、Ｒ１９、Ｒ２０およびＲ２１は、各々独立して、水素原子、炭素原子数１〜４０のアルキル基、炭素原子６〜４０のアリール基、炭素原子数７〜４０のアリールアルキル基、炭素原子数３〜２５の複素環含有基を表すが、Ｒ１９、Ｒ２０およびＲ２１は同時に水素原子にならない。）で表される化合物を少なくとも１種含むことが好ましい。
【手続補正４】
【補正対象書類名】明細書
【補正対象項目名】００３６
【補正方法】変更
【補正の内容】
【００３６】
一般式（２）中のＲ１、Ｒ２、Ｒ３およびＲ４で表される炭素原子数１〜１０の炭化水素基としては、一般式（１）中の炭素原子数１〜１０の炭化水素基と同じもの挙げられる。
【手続補正５】
【補正対象書類名】明細書
【補正対象項目名】００４３
【補正方法】変更
【補正の内容】
【００４３】
２，６−ジ−ｔｅｒｔ−ブチル−４−メチルフェノール、２，６−ジ−ｔｅｒｔ−ブチル−４−エチルフェノール、２−ｔｅｒｔ−ブチル−４，６−ジメチルフェノール、スチレン化フェノール、２，２’−メチレンビス（４−エチル−６−ｔｅｒｔ−ブチルフェノール）、２，２’−チオビス−（６−ｔｅｒｔ−ブチル−４−メチルフェノール）、２，２’−メチレンビス（６−ｔｅｒｔ−ブチル−４−エチルフェノール）、２，２’−メチレンビス（４，６−ジ−ｔｅｒｔ−ブチルフェノール）、２，２’−エチリデンビス（４−ｓｅｃ−ブチル−６−ｔｅｒｔ−ブチルフェノール）、２，６−ジ−ｔｅｒｔ−ブチル−４−ｓｅｃ−ブチルフェノール、２，２’−チオジエチレンビス［３−（３，５−ジ−ｔｅｒｔ−ブチル−４−ヒドロキシフェニル）プロピオネート］、２−メチル−４，６−ビス（オクチルスルファニルメチル）フェノール、２，２’−イソブチリデンビス（４，６−ジメチルフェノール）、イソオクチル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニル）プロピオンアミド、２，２’−オキサミド−ビス［エチル−３−（３，５−ジ−ｔｅｒｔ−ブチル−４−ヒドロキシフェニル）プロピオネート］、２−エチルヘキシル−３−（３’，５’−ジ−ｔｅｒｔ−ブチル−４’−ヒドロキシフェニル）プロピオネート、２，２’−エチレンビス（４，６−ジ−ｔｅｒｔ−ブチルフェノール）、３，５−ビス（１，１−ジメチルエチル）−４−ヒドロキシ−ベンゼンプロパン酸およびＣ１３−１５アルキルのエステル、２，５−ジ−ｔｅｒｔ−アミルヒドロキノン、ヒンダードフェノールの重合物（アデカパルマロール社製商品名ＡＯ．ＯＨ９９８）、２，２’−メチレンビス［６−（１−メチルシクロヘキシル）−ｐ−クレゾール］、２−ｔｅｒｔ−ブチル−６−（３−ｔｅｒｔ−ブチル−２−ヒドロキシ−５−メチルベンジル）−４−メチルフェニルアクリレート、２−［１−（２−ヒドロキシ−３，５−ジ−ｔｅｒｔ−ペンチルフェニル）エチル］−４，６−ジ−ｔｅｒｔ−ペンチルフェニルアクリレート、６−［３−（３−ｔｅｒｔ−ブチル−４−ヒドロキシ−５−メチル）プロポキシ］−２，４，８，１０−テトラ−ｔｅｒｔ−ブチルベンズ［ｄ，ｆ］［１，３，２］−ジオキサホスフォビン、ヘキサメチレンビス［３−（３，５−ジ−ｔｅｒｔ−ブチル−４−ヒドロキシフェニル）プロピオネート、ビス［モノエチル（３，５−ジ−ｔｅｒｔ−ブチル−４−ヒドロキシベンジル）ホスホネートカルシウム塩、５，７−ビス（１，１−ジメチルエチル）−３−ヒドロキシ−２（３Ｈ）−ベンゾフラノンとｏ−キシレンとの反応生成物、２，６−ジ−ｔｅｒｔ−ブチル−４−（４，６−ビス（オクチルチオ）−１，３，５−トリアジン−２−イルアミノ）フェノール、ＤＬ−ａ−トコフェノール（ビタミンＥ）、２，６−ビス（α−メチルベンジル）−４−メチルフェノール、２，６−ビス（α−メチルベンジル）−４−ノニルフェノール、ビス［３，３−ビス−（４’−ヒドロキシ−３’−ｔｅｒｔ−ブチル−フェニル）ブタン酸］グリコールエステル、２��６−ジ−ｔｅｒｔ−ブチル−ｐ−クレゾール、２，６−ジフェニル−４−オクタデシロキシフェノール、ステアリル（３，５−ジ−ｔｅｒｔ−ブチル−４−ヒドロキシフェニル）プロピオネート、ジステアリル（３，５−ジ−ｔｅｒｔ−ブチル−４−ヒドロキシベンジル）ホスホネート、トリデシル−３，５−ジ−ｔｅｒｔ−ブチル−４−ヒドロキシベンジルチオアセテート、チオジエチレンビス［（３，５−ジ−ｔｅｒｔ−ブチル−４−ヒドロキシフェニル）プロピオネート］、４，４’−チオビス（６−ｔｅｒｔ−ブチル−ｍ−クレゾール）、２−オクチルチオ−４，６−ジ（３，５−ジ−ｔｅｒｔ−ブチル−４−ヒドロキシフェノキシ）−ｓ−トリアジン、２，２’−メチレンビス（４−メチル−６−ｔｅｒｔ−ブチルフェノール）、ビス［３，３−ビス（４−ヒドロキシ−３−ｔｅｒｔ−ブチルフェニル）ブチリックアシッド］グリコールエステル、４，４’−ブチリデンビス（２，６−ジ−ｔｅｒｔ−ブチルフェノール）、４，４’−ブチリデンビス（６−ｔｅｒｔ−ブチル−３−メチルフェノール）、２，２’−エチリデンビス（４，６−ジ−ｔｅｒｔ−ブチルフェノール）、１，１，３−トリス（２−メチル−４−ヒドロキシ−５−ｔｅｒｔ−ブチルフェニル）ブタン、ビス［２−ｔｅｒｔ−ブチル−４−メチル−６−（２−ヒドロキシ−３−ｔｅｒｔ−ブチル−５−メチルベンジル）フェニル］テレフタレート、１，３，５−トリス（２，６−ジメチル−３−ヒドロキシ−４−ｔｅｒｔ−ブチルベンジル）イソシアヌレート、１，３，５−トリス（３，５−ジ−ｔｅｒｔ−ブチル−４−ヒドロキシベンジル）イソシアヌレート、１，３，５−トリス（３，５−ジ−ｔｅｒｔ−ブチル−４−ヒドロキシベンジル）−２，４，６−トリメチルベンゼン、１，３，５−トリス［（３，５−ジ−ｔｅｒｔ−ブチル−４−ヒドロキシフェニル）プロピオニルオキシエチル］イソシアヌレート、テトラキス［メチレン−３−（３’，５’−ジ−ｔｅｒｔ−ブチル−４’−ヒドロキシフェニル）プロピオネート］メタン、２−ｔｅｒｔ−ブチル−４−メチル−６−（２−アクリロイルオキシ−３−ｔｅｒｔ−ブチル−５−メチルベンジル）フェノール、３，９−ビス［２−（３−ｔｅｒｔ−ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−ｔｅｒｔ−ブチル−４−ヒドロキシ−５−メチルフェニル）プロピオネート］、トリス（４−ヒドロキシ−３，５−ジ−ｔｅｒｔ−ブチルフェニル）ホスファイト、トリス［３，５−ジ−ｔｅｒｔ−ブチル−４−ヒドロキシフェニル）プロピオンオキシエチル］イソシアヌレート、２，６−ビス（２−ヒドロキシ−３−ｔｅｒｔ−ブチル−５−メチル）４−メチルフェノール、トリス（２，６−ジメチル−４−ｔｅｒｔ−ブチル−３−ヒドロキシフェニルメチル）イソシアヌレート、ビス（４−ｔｅｒｔ−ブチル−３−ヒドロキシ−２，６−ジメチルベンジル）ジチオ）テレフタレート、２，６−ビス（α、α−ジメチルベンジル）−４−ノニルフェノール、４，４’−シクロヘキシリデンビス（２−シクロヘキシルフェノール）、Ｎ−ス��アロイル−ｐ−アミノフェノール、２，２−［（２−ヒドロキシ−５−メチル−ｍ−フェニレン）ビス（ヘキサヒドロ−４，７−メタノインダニレン）］、１，６−ヘキサンジオールビス［３−（３，５−ジ−ｔｅｒｔ−ブチル−４−ヒドロキシフェニル）プロピオネート］、ジステアリル［２−（３−ｔｅｒｔ−ブチル−５−メチル−４−ヒドロキシベンジル）マロネート］、３−（３，５−ジ−ｔｅｒｔ−ブチル−４−ヒドロキシフェニルアミノ）−２，４−ジオクチルチオ−ｓ−トリアジン、２，２’−チオビス（６−ｔｅｒｔ−ブチル−ｐ−クレゾール）、６−（３，５−ジ−ｔｅｒｔ−ブチル−４−ヒドロキシフェニルアミノ）−２，４−ジオクチルチオ−ｓ−トリアジン、２，４−ビス（３，５−ジ−ｔｅｒｔ−ブチル−４−ヒドロキシフェノキシ）−６−オクチルチオ−ｓ−トリアジン、ジオクタデシル−４−ヒドロキシ−３，５−ジ−ｔｅｒｔ−ブチルベンジルホスホネート、１，６−ビス［３−（３，５−ジ−ｔｅｒｔ−ブチル−４−ヒドロキシフェニル）プロピオニルアミノ］ヘキサン、ジエチル（３，５−ジ−ｔｅｒｔ−ブチル−４−ヒドロキシフェニル）ホスホネート、（３，５−ジ−ｔｅｒｔ−ブチル−４−ヒドロキシベンジルモノエチルホスホネートのカルシウム塩、４−ホスファ−３，５，８−トリオキザビシクロ［２，２，２］オクチルメチル−３−（４−ヒドロキシ−３，５−ジ−ｔｅｒｔ−ブチルフェニル）プロピオネート、２，４−ジメチル−６−（α−メチルシクロヘキシル）フェノール、２，２‘−ジヒドロキシ−３，３’−ビス（α−メチルシクロヘキシル）−５，５’  −ジメチルジフェニルメタン、１，４−ベンゼンジカルボン酸ビス［２−（１，１−ジメチルエチル）−６−［［３−（１，１−ジメチルエチル）−２−ヒドロキシ−５−メチルフェニル］メチル］−４−メチルフェニル］、Ｎ，Ｎ’−ビス［２−［２−（３，５−ジ−ｔｅｒｔ−ブチル−４−ヒドロキシフェニル）エチルカルボニルオキシ］エチル］オキサミド、４，４’−メチレンビス（２，６−ジ−ｔｅｒｔ−ブチルフェノール）、２，６−ジ−ｔｅｒｔ−ブチル−α−ジメチルアミノ−４−クレゾール、エチレンビス［３，３’−ビス（４−ヒドロキシ−３−ｔｅｒｔ−ブチルフェニル）ブチレート、２，２’−ビス（４−［２−（４−ヒドロキシ−３，５−ジ−ｔｅｒｔ−ブチルヒドロシンナモイル）エトキシ］フェニル）イソプロパン、Ｎ，Ｎ’−（１，３−プロパンジイル）ビス［３，５−ジ−ｔｅｒｔ−ブチル−４−ヒドロキシベンゼンプロパンアミド］、オクチル−３，５−ジ−ｔｅｒｔ−ブチル−４−ヒドロキシ−ヒドロ肉珪酸、ステアリル−３−（３，５−ジ−ｔｅｒｔ−ブチル−４−ヒドロキシフェニル）プロピオン酸アミド、パルミチル−３−（３，５−ジ−ｔｅｒｔ−ブチル−４−ヒドロキシフェニル）プロピオン酸アミド、ミリスチル−３−（３，５−ジ−ｔｅｒｔ−ブチル−４−ヒドロキシフェニル）プロピオン酸アミド、ラウリル−３−（３，５−ジ−ｔｅｒｔ−ブチル−４−ヒドロキシフェニル）プロピオン酸アミド等の３−（３，５−ジアルキル−４−ヒドロキシフェニル）プロピオン酸誘導体等を挙げることができる。